(57)【要約】【課題】ユーザの意志を尊重しつつも、毛髪にとって好ましいイオン量を発生させるヘアドライヤーを提供する。【解決手段】ヘアドライヤーは、イオン発生部と、使用時間を計時する計時部と、計時部が計時する使用時間に基づいて、イオン発生部が発生するイオン量を調整する調整部とを備える。このようなヘアドライヤーであれば、ユーザの設定に合わせてイオンを発生させる場合であっても使用時間に応じて発生させるイオン量をコントロールするので、毛髪にとって望ましいイオン量を大きく逸脱すること無く供給することができる。【選択図】図５
2019058484.tif 000002
【特許請求の範囲】
【請求項１】
イオン発生部と、
使用時間を計時する計時部と、
前記計時部が計時する使用時間に基づいて、前記イオン発生部が発生するイオン量を調整する調整部と
を備えるヘアドライヤー。
【請求項２】
前記イオン発生部は、プラスイオンを発生するプラスイオン発生部と、マイナスイオンを発生するマイナスイオン発生部を有し、
前記調整部は、前記計時部が計時する使用時間に基づいて、前記プラスイオン発生部が発生するプラスイオン量と前記マイナスイオン発生部が発生するマイナスイオン量を、それぞれ独立して調整する請求項１に記載のヘアドライヤー。
【請求項３】
マイナスイオンを単独で発生させるマイナスイオン発生モードを選択できる選択部材を備え、
前記調整部は、前記選択部材により前記マイナスイオン発生モードが選択されている場合に、前記計時部が予め定められた時間を計時したら、マイナスイオン量に対するプラスイオン量の割合を、それまでの割合よりも増加させる請求項２に記載のヘアドライヤー。
【請求項４】
プラスイオンを単独で発生させるプラスイオン発生モードを選択できる選択部材を備え、
前記調整部は、前記選択部材により前記プラスイオン発生モードが選択されている場合に、前記計時部が予め定められた時間を計時したら、プラスイオン量に対するマイナスイオン量の割合を、それまでの割合よりも増加させる請求項２または３に記載のヘアドライヤー。
【請求項５】
前記調整部は、温風を送風する場合と冷風を送風する場合で、前記イオン発生部が発生するイオン量を異ならせる請求項１から４のいずれか１項に記載のヘアドライヤー。
【請求項６】
前記イオン発生部は、同一極のイオンを発生させる電極を複数有し、
前記調整部は、前記計時部が計時する使用時間に基づいて、複数の前記電極からイオンを発生させる電極を少なくとも１つ選択する請求項１から５のいずれか１項に記載のヘアドライヤー。
【発明の詳細な説明】
【技術分野】
【０００１】
本発明は、ヘアドライヤーに関する。
【背景技術】
【０００２】
毛髪にマイナスイオンを照射させて帯電しているプラス電荷を除電したり、プラスイオンを照射させて除菌効果を得たりするドライヤーが知られている。ユーザは、毛髪の状態や望む効果に応じて、照射するイオンの極性を選択する（例えば、特許文献１参照）。
【先行技術文献】
【特許文献】
【０００３】
【特許文献１】特開２００８−４９１０１号公報
【発明の概要】
【発明が解決しようとする課題】
【０００４】
ヘアドライヤーから照射されるイオンは視認できないために、過剰なイオン照射を行ってしまい、却って逆効果を招くことがある。本質的には、毛髪の状態に応じて照射するイオンの極性やイオン量を決定すべきであるが、毛髪の状態をリアルタイムに検出しながらこれらを決定することは困難である。また、ヘアドライヤーがユーザの意志を無視してこれらを決定することも好ましくない。
【０００５】
本発明は、このような問題を解決するためになされたものであり、ユーザの意志を尊重しつつも、毛髪にとって好ましいイオン量を発生させるヘアドライヤーを提供することを目的とする。
【課題を解決するための手段】
【０００６】
本発明の具体的態様におけるヘアドライヤーは、イオン発生部と、使用時間を計時する計時部と、計時部が計時する使用時間に基づいて、イオン発生部が発生するイオン量を調整する調整部とを備える。このようなヘアドライヤーであれば、ユーザの設定に合わせてイオンを発生させる場合であっても使用時間に応じて発生させるイオン量をコントロールするので、毛髪にとって望ましいイオン量を大きく逸脱すること無く供給することができる。例えば、使用を開始して暫くの間は大量にイオンを発生させつつ、その後は櫛入れによって継続的に生じる静電気を中和する程度のイオン量に抑制するといったコントロールが可能となる。また、使用時間に基づいて調整するので、煩雑なセンサ類も必要としない。
【０００７】
上記のヘアドライヤーにおいて、イオン発生部は、プラスイオンを発生するプラスイオン発生部と、マイナスイオンを発生するマイナスイオン発生部を有し、調整部は、計時部が計時する使用時間に基づいて、プラスイオン発生部が発生するプラスイオン量とマイナスイオン発生部が発生するマイナスイオン量を、それぞれ独立して調整するように構成しても良い。上述のように、マイナスイオンとプラスイオンはそれぞれ毛髪に対する効果が異なるので、使用時間に対するそれぞれのイオンの発生量を独立して調整することが好ましい。
【０００８】
さらに上記のヘアドライヤーは、マイナスイオンを単独で発生させるマイナスイオン発生モードを選択できる選択部材を備え、調整部は、選択部材によりマイナスイオン発生モードが選択されている場合に、計時部が予め定められた時間を計時したら、マイナスイオン量に対するプラスイオン量の割合を、それまでの割合よりも増加させるように構成しても良い。また、プラスイオンを単独で発生させるプラスイオン発生モードを選択できる選択部材を備え、調整部は、選択部材によりプラスイオン発生モードが選択されている場合に、計時部が予め定められた時間を計時したら、プラスイオン量に対するマイナスイオン量の割合を、それまでの割合よりも増加させるように構成しても良い。これらのように構成することにより、一方のイオンが照射され続けて逆効果が生じないよう、他方のイオンで中和することができる。また、ヘアドライヤーの吹出口に蓄積された電荷を中和することもできる。
【０００９】
また、上記のヘアドライヤーにおいて、調整部は、温風を送風する場合と冷風を送風する場合で、イオン発生部が発生するイオン量を異ならせても良い。このように調整することにより、温風を送風する場合に毛髪に到達するイオン量が低減するといった問題に対処することができる。
【００１０】
また、上記のヘアドライヤーにおいて、イオン発生部は、同一極のイオンを発生させる電極を複数有し、調整部は、計時部が計時する使用時間に基づいて、複数の電極からイオンを発生させる電極を少なくとも１つ選択するように構成しても良い。このように構成することにより、吹き出される空気流に対して発生させるイオンをどのように分布させるかをある程度調整できるので、使用時間の経過に従って毛髪に対するイオンの効果を異ならせることができる。
【発明の効果】
【００１１】
本発明により、ユーザの意志を尊重しつつも、毛髪にとって好ましいイオン量を発生させるヘアドライヤーを提供することができる。
【図面の簡単な説明】
【００１２】
【図１】本実施形態に係るヘアドライヤーの外観斜視図である。
【図２】本体ユニットの主要部品の分解斜視図である。
【図３】吹出グリル近傍の拡大図である。
【図４】イオン発生回路の概略を示す図である。
【図５】使用時間に対して発生させるイオン量を調整する第１の例を示す図である。
【図６】使用時間に対して発生させるイオン量を調整する第２の例を示す図である。
【図７】使用時間に対して発生させるイオン量を調整する第３の例を示す図である。
【図８】使用時間に対して発生させるイオン量を調整する第４の例を示す図である。
【図９】使用時間に対して発生させるイオン量を調整する第５の例を示す図である。
【図１０】変形例に係るイオン発生回路の概略を示す図である。
【図１１】使用時間に対して発生させるイオン量を調整する第６の例を示す図である。
【発明を実施するための形態】
【００１３】
以下、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１４】
図１は、本実施形態に係るヘアドライヤー１００の外観斜視図である。ヘアドライヤー１００は、主に、温風や冷風とイオンを発生させる本体ユニット１１０と、ユーザが把持するグリップユニット１８０を備える。ヘアドライヤー１００は、ＡＣ電源から供給される電力によって、熱やイオンを発生させる。
【００１５】
本体ユニット１１０は、全体として円筒形状を成し、一端側の開口である吸入口１１１から外気を取り入れ、他端側の開口である吹出口１１２から調整された空気流を吹き出す。また、本体ユニット１１０は、グリップユニット１８０と接続する端部を有する。当該端部近傍には、後述する電熱線に通電して温風を送出させる温風モードと、電熱線への通電を遮断して冷風を送出させる冷風モードと切り替える温冷スイッチ１７１が設けられている。
【００１６】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にモード選択スイッチ１８１を有する。モード選択スイッチ１８１は、不使用状態とする「オフ」ポジションに加えて、プラスイオンを発生させる「プラスイオンモード」ポジション、マイナスイオンを発生させる「マイナスイオンモード」ポジション、プラスイオンとマイナスイオンを共に発生させる「両イオンモード」ポジションの４ポジションを有する。ユーザが「オフ」ポジションからいずれかのモードポジションにスライドさせると、後述するファンが回り始め、温冷スイッチ１７１の設定と選択されたモードポジションに従って調整された空気流が吹出口から吹き出される。
【００１７】
図２は、本体ユニット１１０の主要部品の分解斜視図である。本体ユニット１１０は、絶縁部材１２０、ファン１３０、モータ１３２、電熱線１３４、イオン電極１５０および吹出グリル１６０を主な構成要素とする。そして、これらの要素を左右のハウジング１４１、１４２、通気筒１４３および先端リング１４４が、筐体として取り囲んでいる。
【００１８】
ファン１３０は、モータ１３２によって回転され、吸入口１１１から外気を取り込んで、吹出口１１２へ向けて空気流を発生させる。モータ１３２は、例えば直流モータであり、ファン１３０と共に送風装置として機能する。電熱線１３４は、通電されることにより熱を発生し、ファン１３０で発生された空気流を加熱して温風に変換する。
【００１９】
絶縁部材１２０は、例えばマイカ板から形成される絶縁板である垂直絶縁板１２１と水平絶縁板１２２が互いに十字状に交叉されて組立てられた構造体である。絶縁部材１２０の周縁部には係止溝１２０ａが複数設けられており、電熱線１３４は、この係止溝１２０ａに巻回され、絶縁部材１２０を基体として固定される。また、吸入口１１１側は切り欠かれて、ファン１３０とモータ１３２を収容する収容空間１２０ｂを形成している。なお、本実施形態においては、２枚の絶縁板を組み合わせて絶縁部材１２０を形成するが、組み合わせる絶縁板の枚数は３枚以上であっても構わない。また、例えば型成形されたブロック状の構造体であっても良い。
【００２０】
イオン電極１５０は、マイナスイオン電極１５１とプラスイオン電極１５２とを含み、それぞれ後述するイオン発生回路に接続されている。マイナスイオン電極１５１は水平絶縁板１２２に固定され、プラスイオン電極１５２は、垂直絶縁板１２１に固定される。具体的な配置関係等については後述する。
【００２１】
吹出グリル１６０は、導電性素材のメッシュ面を有する円形状部材であり、異物が吹出口１１２から内部へ進入することを防ぐ役割を担う。同時に、イオン電極１５０がイオンを発生させる場合には、対向電極として機能する。吹出グリル１６０は、先端リング１４４を介して吹出口１１２の近傍に固定されている。吹出グリル１６０は、導電性素材で形成されており、好ましくは鉄などの金属素材が用いられる。
【００２２】
通気筒１４３は、本体ユニット１１０を構成する各要素を収容すると共に、内部の空気流を整流する機能を担う。ハウジング１４１、１４２は、通気筒１４３の側面の一部に固定され、グリップユニット１８０との接続部として機能する。
【００２３】
図３は、吹出グリル１６０近傍の拡大図である。ただし、図は、実際の組立て状態に対して、吹出グリル１６０を絶縁部材１２０から少し離間させて表している。
【００２４】
垂直絶縁板１２１は、吹出グリル１６０と対向する端面のうち中央部がコの字状に切り欠かれている。水平絶縁板１２２も、吹出グリル１６０と対向する端面のうち中央部がコの字状に切り欠かれている。これらの切欠部分は、吹出グリル１６０と絶縁部材１２０との間に切欠空間１２０ｃを形成する。プラスイオン電極１５２は、垂直絶縁板１２１の切欠部分の近傍に固定され、その先端部は、切欠空間１２０ｃに向かって突出している。また、マイナスイオン電極１５１は、水平絶縁板１２２の切欠部分の近傍に固定され、３つに分岐した第１電極１５１ａ、第２電極１５１ｂ、第３電極１５１ｃの先端部は、それぞれ切欠空間１２０ｃに向かって突出している。
【００２５】
垂直絶縁板１２１の切欠部分の両側部分は、吹出グリル１６０のメッシュ１６０ａと当接する当接端１２１ａであり、メッシュ１６０ａ面を支持して外部からの押圧力に抗する。また、水平絶縁板１２２の切欠部分の両側部分は、吹出グリル１６０のメッシュ１６０ａと当接する当接端１２２ａであり、当接端１２１ａと同様に、メッシュ１６０ａ面を支持して外部からの押圧力に抗する。
【００２６】
吹出グリル１６０のメッシュ１６０ａは、格子状ではなく部分的に円環状に形成された４つの第１ターゲット１６０ｂ〜第４ターゲット１０ｅを含む。第１ターゲット１６０ｂは、その円環中心がプラスイオン電極１５２の先端部に対向する位置に設けられている。同様に、第２ターゲット１６０ｃは、その円環中心がマイナスイオン電極１５１の第１電極１５１ａの先端部に、第３ターゲット１６０ｄは、その円環中心が第２電極１５１ｂの先端部に、第４ターゲット１６０ｅは、その円環中心が第３電極１５１ｄの先端部に、それぞれ対向する位置に設けられている。
【００２７】
プラスイオン電極１５２に高圧の正パルス電圧が印加されると、その先端部と第１ターゲット１６０ｂの間で放電が起こり、プラズマが発生する。このとき、空気中の水分子が電離して水素イオン（Ｈ＋）が生成する。この水素イオンが空気中の水分子とクラスタリングして、Ｈ＋（Ｈ２Ｏ）ｍ（ｍは任意の自然数）から成るプラスイオンが発生する。第１ターゲット１６０ｂは、プラスイオン電極１５２の先端部から等距離である円環形状であるので、放電位置は一箇所に集中せず円環上で分散され、メッシュ１６０ａの損傷を軽減することができる。
【００２８】
マイナスイオン電極１５１に高圧の負パルス電圧が印加されると、第１電極１５１ａの先端部と第２ターゲット１６０ｃの間、第２電極１５１ｂの先端部と第３ターゲット１６０ｄの間、第３電極１５１ｃの先端部と第４ターゲット１６０ｄの間で放電が起こり、プラズマが発生する。このとき、空気中の酸素分子または水分子が電離して酸素イオンＯ２−が生成する。この酸素イオンが空気中の水分子とクラスタリングして、Ｏ２−（Ｈ２Ｏ）ｎ（ｎは任意の自然数）から成るマイナスイオンが発生する。第２ターゲット１６０ｃ〜第４ターゲット１６０ｅも、それぞれ第１電極１５１ａ〜第３電極１５１ｃの先端部から等距離である円環形状であるので、放電位置は一箇所に集中せず円環上で分散され、メッシュ１６０ａの損傷を軽減することができる。
【００２９】
図４は、イオン発生回路１９０の概略を示す図である。本実施形態に係るイオン発生回路１９０は、プラスイオンを発生させるプラスイオン発生回路１９１と、マイナスイオンを発生させるマイナスイオン発生回路１９２とが並列して設けられている。それぞれの回路構成は、主に、変圧器ＴＲ１の二次側コイルの一方の端子に接続されるダイオードＤ４の端子がアノードであるかカソードであるかの違いがある程度であって、他の構成は共通する。したがって、以下の説明において特に言及しない場合は、両回路に共通する構成である。
【００３０】
ＡＣ電源の一端には、ダイオードＤ１のアノードが接続され、ダイオードＤ１のカソードには、抵抗Ｒ１を介して、主に、コンデンサＣ１の一方の端子と、ダイオードＤ３のカソードが接続されている。ＡＣ電源の他端には、抵抗Ｒ２を介して、主に、ダイオードＤ２のカソードが接続され、ダイオードＤ２のアノードには、ダイオードＤ３のアノードが接続されている。そして、コンデンサＣ１の他方の端子とダイオードＤ３のアノードとの間に、変圧器ＴＲ１の一次側コイルが接続されている。
【００３１】
プラスイオン発生回路１９１の場合は、変圧器ＴＲ１の二次側コイルの一方の端子には、ダイオードＤ４のアノードが接続され、ダイオードＤ４のカソードと二次側コイルの他方の端子との間に、コンデンサＣ２が接続されている。さらに、ダイオードＤ４のカソードには、抵抗Ｒ６を介して、プラスイオン電極１５２が接続されている。プラスイオン電極１５２は、吹出グリル１６０の第１ターゲット１６０ｂを対向電極として、プラスイオンを発生させる。
【００３２】
マイナスイオン発生回路１９２の場合は、変圧器ＴＲ１の二次側コイルの一方の端子には、ダイオードＤ４のカソードが接続され、ダイオードＤ４のアノードと二次側コイルの他方の端子との間に、コンデンサＣ２が接続されている。さらに、ダイオードＤ４のアノードには、抵抗Ｒ６を介して、マイナスイオン電極１５１の第１電極１５１ａ、第２電極１５１ｂ、第３電極１５１ｃが接続されている。第１電極１５１ａ、第２電極１５１ｂ、第３電極１５１ｃは、それぞれ吹出グリル１６０の第２ターゲット１６０ｃ、第３ターゲット１６０ｄ、第４ターゲット１６０ｅを対向電極として、マイナスイオンを発生させる。なお、プラスイオン発生部としてもマイナスイオン発生部としても対向電極として機能する吹出グリル１６０は、アース線に接続されている。
【００３３】
また、トライアックＴＣ１が、ＡＣ電源の両端間に接続されている。トライアックＴＣ１のゲートは、例えばマイコンによって構成される制御部２００に接続されており、制御部２００による位相制御により、電力供給のデューティー比を変化させることができる。電極で発生するイオン量は電力供給のデューティー比におよそ比例するので、制御部２００は、位相制御を行うことにより、プラスイオンとマイナスイオンのそれぞれの発生量をコントロールすることができる。
【００３４】
制御部２００は、計時部２０１および設定部２０２と接続されている。計時部２０１は、ヘアドライヤー１００の使用時間を計時するタイマーであり、制御部２００の要求に従って、計時した使用時間を返す。設定部２０２は、温冷スイッチ１７１の設定状態およびモード選択スイッチ１８１の設定状態を保持する状態保持回路であり、制御部２００は、設定部２０２にアクセスすることにより、それぞれの設定状態を確認することができる。特に、制御部２００は、温冷スイッチ１７１およびモード選択スイッチ１８１の設定状態に基づき、ユーザがヘアドライヤー１００を使用する使用時間の経過に応じて、発生させるイオン量をコントロールする。すなわち、制御部２００は、イオン発生回路１９０が発生するイオン量を調整する調整部としての機能を担う。詳細については、後述する。
【００３５】
なお、イオン発生回路１９０は、図１および図２においては不図示であるが、本体ユニット１１０のうち、グリップユニット１８０との接続部近傍に設けられている。イオン発生回路１９０の設置箇所は、他の箇所であっても構わない。また、プラスイオン発生回路１９１とマイナスイオン発生回路１９２のそれぞれの素子におけるパラメータ値は、互いに同一でなくても良い。また、パラメータ値に限らず、回路構成についても互いに異ならせても良い。
【００３６】
次に、ユーザがヘアドライヤー１００を使用する使用時間の経過に対して、どのように発生させるイオン量を調整するかについて説明する。従来のヘアドライヤーでイオン照射機能を備えるものは、ユーザがイオン照射モードを選択すると、使用している間は一定量でイオンを照射し続けていた。ユーザがイオン量を調整できるように調整ダイヤル等を備えるヘアドライヤーもあるが、ユーザは、照射されるイオンを視認できないために、どれくらいのイオン量に調整すれば良いか迷うことも多かった。
【００３７】
例えば、マイナスイオンを毛髪に照射すると、プラスに帯電していることが多い毛髪を電気的に中和し、さらに毛髪の内部深くに水分を浸透させて潤いを与える効果が知られている。しかし、マイナスイオン量が多すぎると今度は毛髪がマイナスに帯電してしまい、全体として膨張してしまうことがある。つまり、過剰なイオン照射が、逆効果を招いたり、好ましくない二次的な作用を生じさせたりする場合がある。一定時間の経過後に照射を停止することも考えられるが、ユーザがマイナスイオンモードを選択して使用している間は、ユーザはマイナスイオンを照射し続けたいという意志を持っていると考えるべきであるので、好ましくない。また、ヘアドライヤー使用されている間は、ユーザがブラッシングを継続していることも多く、ブラッシングによって発生するプラスの電荷は除去したいという要請もある。そこで、本実施形態におけるヘアドライヤー１００は、使用時間の経過に対して、発生させるイオン量を調整する。
【００３８】
図５は、使用時間に対して発生させるイオン量を調整する第１の例を示す図である。図において縦軸は発生させるイオンの目標量を表し、横軸は使用を開始してからの経過時間を表す。以降の説明において用いる図の縦軸と横軸も同様である。図５において、実線は予め定められたマイナスイオンの目標発生量を示し、点線は予め定められたプラスイオンの目標発生量を示す。
【００３９】
制御部２００は、設定部２０２を参照してマイナスイオンモードが選択されていることを確認した場合は、計時部２０１が計時する経過時間に従って、実線で示すマイナスイオンの目標発生量に到達するように、マイナスイオン発生回路１９２のオンデューティー比を調整する。具体的には、使用開始時点から時刻ｔ１までは比較的多量であるＩｓ−を目標量として調整し、時刻ｔ１からｔ２までは目標量を漸減させ、時刻ｔ２以降は比較的少量であるＩｒ−を目標量として調整する。なお、マイナスイオンモードにおいてはプラスイオンの目標発生量を０とする。
【００４０】
制御部２００は、設定部２０２を参照してプラスイオンモードが選択されていることを確認した場合は、計時部２０１が計時する経過時間に従って、点線で示すプラスイオンの目標発生量に到達するように、プラスイオン発生回路１９１のオンデューティー比を調整する。具体的には、使用開始時点から時刻ｔ３までは比較的多量であるＩｓ＋を目標量として調整し、時刻ｔ３からｔ４までは目標量を漸減させ、時刻ｔ４以降は比較的少量であるＩｒ＋を目標量として調整する。なお、プラスイオンモードにおいてはマイナスイオンの目標発生量を０とする。
【００４１】
制御部２００は、設定部２０２を参照して両イオンモードが選択されていることを確認した場合は、計時部２０１が計時する経過時間に従って、実線で示すマイナスイオンの目標発生量に到達するように、マイナスイオン発生回路１９２のオンデューティー比を調整すると共に、点線で示すプラスイオンの目標発生量に到達するように、プラスイオン発生回路１９１のオンデューティー比を調整する。なお、イオン量Ｉｓ−、Ｉｓ＋、Ｉｒ−、Ｉｒ＋、および、使用開始からの経過時間ｔ１、ｔ２、ｔ３、ｔ４は、イオン発生回路１９０の能力、ファン１３０によって発生される空気流の風量、吹出口１１２から毛髪までの想定される距離等に応じて、実験やシミュレーションにより事前に設定される。もちろん、経過時間に対する変化のパターンは、図５の例に限らず、漸増させたり、一定時間中断させたりするようなパターンであっても構わない。また、両イオンモードは、単イオンモードを同時に実行する場合に限らず、両イオンモードに最適なパターンを設定しても構わない。以降の説明における変化のパターンについても同様である。
【００４２】
図６は、使用時間に対して発生させるイオン量を調整する第２の例を示す図である。図６において、実線は温風時における予め定められたマイナスイオンの目標発生量を示し、一点鎖線は冷風時における予め定められたマイナスイオンの目標発生量を示す。第２の例では、図示するように、温冷スイッチ１７１が温風モードに設定されている場合と、冷風モードに設定されている場合とで、目標発生量の変化のパターンを異ならせている。
【００４３】
制御部２００は、設定部２０２を参照してマイナスイオンモードおよび温風モードが選択されていることを確認した場合は、計時部２０１が計時する経過時間に従って、実線で示す温風時の目標発生量に到達するように、マイナスイオン発生回路１９２のオンデューティー比を調整する。具体的には、使用開始時点から時刻ｔ１までは比較的多量であるＩｓｈ−を目標量として調整し、時刻ｔ１からｔ２までは目標量を漸減させ、時刻ｔ２以降は比較的少量であるＩｒｈ−を目標量として調整する。
【００４４】
制御部２００は、設定部２０２を参照してマイナスイオンモードおよび冷風モードが選択されていることを確認した場合は、計時部２０１が計時する経過時間に従って、一点鎖線で示す冷風時の目標発生量に到達するように、マイナスイオン発生回路１９２のオンデューティー比を調整する。具体的には、使用開始時点から時刻ｔ１までは比較的多量であるが温風時のＩｓｈ−よりは少量であるＩｓｃ−を目標量として調整し、時刻ｔ１からｔ２までは目標量を漸減させ、時刻ｔ２以降は比較的少量であり温風時のＩｒｈ−よりも少量であるＩｒｃ−を目標量として調整する。
【００４５】
このように調整することにより、同量のイオンを発生させた場合において温風時には冷風時よりも毛髪に到達するイオン量が少ないという一般現象に対し、温風時においても冷風時に匹敵するイオンを毛髪に到達させることができる。その上で、経過時間に応じて発生量を変化させるので、例えば過剰なイオンを毛髪に到達させることがない。なお、第２の例ではマイナスイオンの目標発生量について説明したが、プラスイオンの目標発生量も同様に設定することができる。
【００４６】
図７は、使用時間に対して発生させるイオン量を調整する第３の例を示す図である。図７は、マイナスイオンモードに設定されている場合の目標発生量を表し、実線は予め定められたマイナスイオンの目標発生量であり、点線は予め定められたプラスイオンの目標発生量である。第３の例では、図示するように、マイナスイオンモードに設定されている場合であっても、ある時点からプラスイオンも発生させている。
【００４７】
制御部２００は、設定部２０２を参照してマイナスイオンモードが選択されていることを確認した場合は、計時部２０１が計時する経過時間に従って、実線で示すマイナスイオンの目標発生量に到達するように、マイナスイオン発生回路１９２のオンデューティー比を調整する。具体的には、使用開始時点から時刻ｔ１までは比較的多量であるＩｓ−を目標量として調整し、時刻ｔ１からｔ２までは目標量を漸減させ、時刻ｔ２以降は比較的少量であるＩｒ−を目標量として調整する。そして、制御部２００は、時刻ｔ５からプラスイオン発生回路１９１のオンデューティー比を調整してプラスイオンを徐々に発生させ、時刻ｔ６以降は、Ｉｒ−よりは少量である一定量Ｉｐ＋を目標量として調整する。このように調整することにより、過剰となり得る毛髪上のマイナスイオンを積極的に中和すると共に、毛髪にプラスイオンの効果も与えることで、全体としてより好ましい効果が期待できる。
【００４８】
図８は、使用時間に対して発生させるイオン量を調整する第４の例を示す図である。図８は、プラスイオンモードに設定されている場合の目標発生量を表し、点線は予め定められたプラスイオンの目標発生量であり、実線は予め定められたマイナスイオンの目標発生量である。第４の例では、図示するように、プラスイオンモードに設定されている場合であっても、ある時点からマイナスイオンも発生させている。
【００４９】
制御部２００は、設定部２０２を参照してプラスイオンモードが選択されていることを確認した場合は、計時部２０１が計時する経過時間に従って、点線で示すプラスイオンの目標発生量に到達するように、プラスイオン発生回路１９１のオンデューティー比を調整する。具体的には、使用開始時点から時刻ｔ３までは比較的多量であるＩｓ＋を目標量として調整し、時刻ｔ３からｔ４までは目標量を漸減させ、時刻ｔ４以降は比較的少量であるＩｒ＋を目標量として調整する。そして、制御部２００は、時刻ｔ３よりも前の時刻ｔ７からマイナスイオン発生回路１９２のオンデューティー比を調整してマイナスイオンを徐々に発生させ、時刻ｔ８以降は、Ｉｒ＋よりは多量である一定量Ｉｐ―を目標量として調整する。このように、乾燥した毛髪に効果が大きいとされるマイナスイオンを、プラスイオンを漸減させるよりも前から徐々に発生させ、乾燥が完了したと想定される時刻以降はプラスイオンよりも多量に発生させても良い。
【００５０】
図９は、使用時間に対して発生させるイオン量を調整する第５の例を示す図である。図９は、マイナスイオンモードに設定されている場合の目標発生量を表し、実線は予め定められたマイナスイオンの目標発生量であり、点線は予め定められたプラスイオンの目標発生量である。第５の例は、図示するように、使用開始時点からプラスイオンも発生させている点で第３の例と異なる。
【００５１】
第１の例から第４の例までは、毛髪に対する効果を考慮して目標発生量の変化のパターンを異ならせたが、第５の例は、ヘアドライヤーの装置構成に応じてパターンを異ならせる例を示している。上述のイオン発生回路１９０においては、吹出グリル１６０を対向電極として利用し、吹出グリル１６０をアース線に接続したが、吹出グリル１６０をアース線に接続しない構成を採用することもできる。この場合、一方の極のイオンを発生させ続けると吹出グリル１６０がその極の電荷で帯電し、やがて放電が著しく起こりにくくなってしまう。そこで、第５の例では、マイナスイオンの発生を継続できるように、吹出グリル１６０に帯電するマイナスイオンを中和する程度のプラスイオン（目標量Iｗ＋）を、使用開始時点から発生させている。なお、第５の例ではマイナスイオンモードの例を説明したが、吹出グリル１６０をアース線に接続しない構成を採用する場合は、プラスイオンモードにおいても、使用開始時点から同様にマイナスイオンを発生させる。
【００５２】
次に、イオン発生回路１９０の構成とは若干異なる回路構成であるイオン発生回路１９０’を採用する変形例について説明する。図１０は、変形例に係るイオン発生回路１９０’の概略を示す図である。上述のイオン発生回路１９０では、３つのマイナスイオン電極１５１a、１５１ｂ、１５１ｃは、三つ叉に分岐した電極であった。したがって、これらの電極は、一つのマイナスイオン発生回路１９２によって制御され、同時にマイナスイオンを発生する。イオン発生回路１９０’に係るマイナスイオン電極１５１a、１５１ｂ、１５１ｃは、それぞれが独立している。そして、それぞれが別個のマイナスイオン発生回路１９２a、１９２ｂ、１９２ｃに接続されている。制御部２００は、マイナスイオン発生回路１９２a、１９２ｂ、１９２ｃにそれぞれ別個の制御信号を送ることにより、それぞれの電極から任意のタイミングでマイナスイオンを発生させることができる。
【００５３】
図１１は、図１０のイオン発生回路１９０’を採用した場合における、使用時間に対して発生させるイオン量を調整する第６の例を示す図である。図１１は、マイナスイオンモードに設定されている場合の目標発生量を表す。
【００５４】
制御部２００は、設定部２０２を参照してマイナスイオンモードが選択されていることを確認した場合は、計時部２０１が計時する経過時間に従って、実線で示すマイナスイオンの目標発生量に到達するように、マイナスイオン発生回路１９２のオンデューティー比を調整する。具体的には、使用開始時点から時刻ｔ７までは、比較的多量であるＩａｌ−を目標量として、マイナスイオン電極１５１a、１５１ｂ、１５１ｃの全てからマイナスイオンを発生させる。そして、時刻ｔ７からｔ８までの間は、Ｉｓｄ−を目標発生量として、左右に配置されているマイナスイオン電極１５１a、１５１ｃからマイナスイオンを発生させる。このように電極を選択すると、空気流の周辺部にマイナスイオンを分布させることができ、ユーザは毛髪を整えやすくなる。そして、時刻以降は、Ｉｃｔ−を目標発生量として、中心に配置されているマイナスイオン電極１５１ｂからマイナスイオンを発生させる。
【００５５】
以上、経過時間に対する目標発生量の変化のパターンを数例説明したが、もちろん、組み合わせ可能なものについては、相互に組み合わせても良い。また、変化のパターンは、着目する効果、ハードウェア構成からの要請等によって様々に変更し得る。ヘアドライヤーが、例えばイオン調整ダイヤルのような操作部材を備える場合には、ユーザが操作した操作量に応じて変化のパターンを修正するように制御しても良い。
【００５６】
また、以上の実施形態で説明したイオン発生回路１９０では、供給電力のオンデューティーを調整することにより、プラスイオンとマイナスイオンの発生量を制御したが、発生量の制御は、この方式に限らない。印可電圧を制御しても良いし、パルス幅と印可電圧の両方を制御しても良い。また、イオン発生回路がプラスイオン発生回路とマイナスイオン発生回路を並列で備えて、両極のイオンを同時に発生させることができる回路構成に限らず、プラスイオンとマイナスイオンが交互に発生する回路構成であっても構わない。この場合、目標とするイオン発生量は、単位時間あたりのイオン発生量として管理される。
【符号の説明】
【００５７】
１００  ヘアドライヤー、１１０  本体ユニット、１１１  吸入口、１１２  吹出口、１２０  絶縁部材、１２０ａ  係止溝、１２０ｂ  収容空間、１２０ｃ  切欠空間、１２１  垂直絶縁板、１２１ａ  当接端、１２２  水平絶縁板、１２２ａ  当接端、１３０  ファン、１３２  モータ、１３４  電熱線、１４１  ハウジング、１４２  ハウジング、１４３  通気筒、１４４  先端リング、１５０  イオン電極、１５１  マイナスイオン電極、１５１ａ  第１電極、１５１ｂ  第２電極、１５１ｃ  第３電極、１５２  プラスイオン電極、１６０  吹出グリル、１６０ａ  メッシュ、１６０ｂ  第１ターゲット、１６０ｃ  第２ターゲット、１６０ｄ  第３ターゲット、１６０ｅ  第４ターゲット、１７１  温冷スイッチ、１８０  グリップユニット、１８１  モード選択スイッチ、１９０、１９０’  イオン発生回路、１９１  プラスイオン発生回路、１９２、１９２ａ、１９２ｂ、１９２ｃ  マイナスイオン発生回路、２００  制御部、２０１  計時部、２０２  設定部
【図１】
2019058484.tif 000003
【図２】
2019058484.tif 000004
【図３】
2019058484.tif 000005
【図４】
2019058484.tif 000006
【図５】
2019058484.tif 000007
【図６】
2019058484.tif 000008
【図７】
2019058484.tif 000009
【図８】
2019058484.tif 000010
【図９】
2019058484.tif 000011
【図１０】
2019058484.tif 000012
【図１１】
2019058484.tif 000013